(57)【特許請求の範囲】
【請求項１】
熱良導体で形成され、毛髪が巻き付けられる髪巻付部と、
前記髪巻付部を加熱する加熱部と、
前記髪巻付部の外面との間で毛髪を狭持する髪押さえ部と、
を備えるヘアーアイロンであって、
前記髪押さえ部には髪押さえ部側ブラシ列が設けられており、
前記髪巻付部における前記髪押さえ部と対面する部位には、前記髪巻付部から前記髪押さえ部に熱が伝達されるのを抑制する熱伝導抑制部が設けられており、
前記熱伝導抑制部には複数の凹溝が髪巻付部の中心軸方向に設けられていることを特徴とするヘアーアイロン。
【請求項２】
前記髪押さえ部が熱不良導体で形成されていることを特徴とする請求項１に記載のヘアーアイロン。
【請求項３】
前記髪巻付部が筒状に形成されており、
前記髪巻付部の外面における前記熱伝導抑制部が設けられた部位以外の部位には、熱不良導体で形成された髪巻付部側ブラシ列が、周方向に間隔を空けて複数配置されていることを特徴とする請求項１または請求項２に記載のヘアーアイロン。
【請求項４】
前記髪押さえ部側ブラシ列は熱不良導体で形成されていることを特徴とする請求項１〜３のうちいずれか１項に記載のヘアーアイロン。
【請求項５】
前記髪押さえ部側ブラシ列が前記髪押さえ部よりも熱膨張率の大きい材料で形成されており、
前記髪押さえ部側ブラシ列は、前記髪押さえ部の取付部に、所定のクリアランスをもって取り付けられていることを特徴とする請求項１〜４のうちいずれか１項に記載のヘアーアイロン。
【発明の詳細な説明】
【技術分野】
【０００１】
本発明は毛髪にカールなどの癖付けを行うためのヘアーアイロンに関するものである。
【背景技術】
【０００２】
従来、ヘアーアイロンとして、熱良導体で構成されて毛髪が巻き付けられる巻胴と、巻胴を加熱するヒータと、巻胴の外面との間で毛髪を狭持するクリップとを備えるものが知られている（例えば、特許文献１参照）。
【０００３】
この特許文献１に記載のヘアーアイロンは、毛髪を巻胴の外面に巻き付けることで、毛髪にカール状の癖付けを施すようにするものである。
【０００４】
さらに、特許文献１に記載のヘアーアイロンは、熱不良導体で形成され、巻胴におけるクリップとの対面領域以外の部分に周方向に沿って設けられたリブ状のガードを備えている。そして、複数枚のガードを、巻胴の軸方向に間隔をおいて固定することで、ヘアーアイロンの使用時に、巻胴の表面と皮膚との間に所定の間隔が形成されるようにしている。
【先行技術文献】
【特許文献】
【０００５】
【特許文献１】特開平１０−１１３２１４号公報
【発明の概要】
【発明が解決しようとする課題】
【０００６】
しかしながら、前記従来の構成では、クリップで毛髪を固定させながら、ストレートやカールといったヘアスタイルを作ることが可能ではあるが、可能であれば、巻胴にブリスルを形成したヘアーアイロンの機能も搭載させ、更にヘアスタイルのアレンジの幅を広げられることが好ましい。
【０００７】
また、前記従来の構成では、巻胴が熱良導体で形成されている上、ガードの高さが比較的低くなるように設定されている。そのため、ヘアーアイロンを使用した際に、加熱された巻胴に使用者の肌が接触してしまい、使用者が熱く感じてしまうことがあった。また、毛髪を巻胴に巻き付けたり巻き外したりするために巻胴を回転させる際には、巻胴が肌に接触しないように気をつけながら行わなければならなかった。
【０００８】
このように、前記従来の技術では、毛髪をスムーズに施術することができず、使い勝手がよくないという課題を有していた。
【０００９】
本発明は、前記従来の課題を解決するもので、より快適に使用することができる上、使い勝手をより向上させることのできるヘアーアイロンを提供することを目的とする。
【課題を解決するための手段】
【００１０】
前記従来の課題を解決するために、本発明のヘアーアイロンは、熱良導体で形成され、毛髪が巻き付けられる髪巻付部と、前記髪巻付部を加熱する加熱部と、前記髪巻付部の外面との間で毛髪を狭持する髪押さえ部と、を備えるものである。
【００１１】
そして、前記髪押さえ部には髪押さえ部側ブラシ列が設けられているものである。
【００１２】
これによって、髪押さえ部で毛髪を挟持した状態で毛髪にカール状の癖付けを施す使用方法と、髪押さえ部を使用せずに（髪押さえ部で毛髪を挟持せずに）、ヘアーアイロンを回転させることで毛髪にカール状の癖付けを施す使用方法の２通りの方法での使用が可能となる。その結果、毛髪へのカール状の癖付け時に、カール径を異ならせることができるようになる。このように、２種類のカール径とすることができるようにすることで、例えば、毛髪の部位毎に使用方法を異ならせて、異なるカール径となるように毛髪を施術することが可能となる。
【発明の効果】
【００１３】
本発明によれば、より快適に使用することができる上、使い勝手をより向上させることのできるヘアーアイロンを提供することができる。
【図面の簡単な説明】
【００１４】
【図１】本発明の実施の形態１にかかるヘアーアイロンの斜視図である。
【図２】本発明の実施の形態１にかかるヘアーアイロンの平面図である。
【図３】本発明の実施の形態１にかかるヘアーアイロンの側面図である。
【図４】本発明の実施の形態１にかかるヘアーアイロンを示す図であって、髪押さえ部を開にした状態を示す側面図である。
【図５】図２のＡ−Ａ断面図である。
【図６】本発明の実施の形態１にかかるヘアーアイロンの一部を拡大して示す断面図である。
【図７】図２のＢ−Ｂ断面図である。
【図８】本発明の実施の形態１にかかるヘアーアイロンの分解斜視図である。
【図９】本発明の実施の形態１にかかるヘアーアイロンの熱伝導抑制部およびブラシ列の髪巻付部への取付方法を模式的に示す斜視図である。
【図１０】本発明の実施の形態１にかかるヘアーアイロンの髪押さえ部側ブラシ列の髪押さえ部への取付方法を模式的に示す斜視図である。
【図１１】本発明の実施の形態２にかかるヘアーアイロンの側面図である。
【発明を実施するための形態】
【００１５】
本発明の実施の形態は、熱良導体で形成され、毛髪が巻き付けられる髪巻付部と、前記髪巻付部を加熱する加熱部と、前記髪巻付部の外面との間で毛髪を狭持する髪押さえ部と、を備えるヘアーアイロンであって、前記髪押さえ部には髪押さえ部側ブラシ列が設けられているものである。
【００１６】
これによって、髪押さえ部で毛髪を挟持した状態で毛髪にカール状の癖付けを施す使用方法と、髪押さえ部を使用せずに（髪押さえ部で毛髪を挟持せずに）、ヘアーアイロンを回転させることで毛髪にカール状の癖付けを施す使用方法の２通りの方法での使用が可能となる。その結果、毛髪へのカール状の癖付け時に、カール径を異ならせることができるようになる。このように、２種類のカール径とすることができるようにすることで、例えば、毛髪の部位毎に使用方法を異ならせて、異なるカール径となるように毛髪を施術することが可能となる。
【００１７】
また、前記髪巻付部における前記髪押さえ部と対面する部位には、前記髪巻付部から前記髪押さえ部に熱が伝達されるのを抑制する熱伝導抑制部が設けられているものである。
【００１８】
これによって、髪巻付部の外面から髪押さえ部への熱伝達を比較的小さくすることができるため、毛髪の施術中に使用者が熱く感じてしまうのを抑制することができるようになる。その結果、ヘアーアイロンをより快適に使用することができる上、使い勝手をより向上させることができるようになる。
【００１９】
また、前記髪押さえ部が熱不良導体で形成されているものである。
【００２０】
これによって、髪巻付部の外面から髪押さえ部への熱伝達をより一層抑制することができるようになり、毛髪の施術中に使用者が熱く感じてしまうのをより抑制することができるようになる。
【００２１】
また、前記髪巻付部が筒状に形成されており、前記髪巻付部の外面における前記熱伝導抑制部が設けられた部位以外の部位には、熱不良導体で形成された毛髪巻付部側ブラシ列が、周方向に間隔を空けて複数配置されているものである。
【００２２】
これによって、髪巻付部と使用者の皮膚との間に所定の間隔を持たせることが可能となり、熱く感じることなくより快適に使用することができるようになる。また、毛髪巻付部側ブラシ列を設けることで毛髪を捉えやすくなって、毛髪にカール状の癖付けをより容易に施すことができるようになる。
【００２３】
また、前記熱伝導抑制部には複数の凹溝が設けられているものである。
【００２４】
これによって、髪巻付部の熱伝導抑制部と髪押さえ部との接触面積を減少させることができ、髪押さえ部への熱伝達をさらに小さくすることが可能となる。その結果、毛髪の施術中に使用者が熱く感じてしまうのをより抑制することができるようになり、ヘアーアイロンをより快適に使用することができる上、使い勝手をより向上させることができるようになる。また、熱伝導抑制部に肌が接触した際の肌への熱伝達も小さくすることが可能となるため、ヘアーアイロンをより快適に使用することができるようになる。
【００２５】
また、前記髪押さえ部側ブラシ列は熱不良導体で形成されているものである。
【００２６】
これによって、肌が髪押さえ部に接触してしまうことをより確実に抑制することができるようになるため、使用者が熱く感じてしまうのをより一層抑制することができるようになって、ヘアーアイロンをより快適に使用することができるようになる。
【００２７】
また、前記髪押さえ部側ブラシ列が前記髪押さえ部よりも熱膨張率の大きい材料で形成されており、前記髪押さえ部側ブラシ列は、前記髪押さえ部の取付部に、所定のクリアランスをもって取り付けられているものである。
【００２８】
これによって、加熱時における髪押さえ部側ブラシ列の膨張をクリアランスによって吸収することができるようになり、髪押さえ部が変形したり破損してしまったりするのを抑制することができるようになる。
【００２９】
以下、本発明の実施の形態について図面を参照しながら詳細を説明する。なお、この実施の形態によって本発明が限定されるものではない。
【００３０】
また、以下の説明では、髪押さえ部が上方に配置された状態におけるヘアーアイロンを基準として上下方向を規定する。また、ヘアーアイロンの施術部側を前方、把持部側を後方として説明する。
【００３１】
さらに、上記基準における前後方向（施術部および把持部の長手方向：髪巻付部の中心軸方向）をＸ方向、幅方向（施術部および把持部の短手方向）をＹ方向、上下方向（上記基準において、髪押さえ部を閉じた状態での髪押さえ本体の厚さ方向）をＺ方向として説明する。
【００３２】
また、以下の複数の実施の形態には、同様の構成要素が含まれている。よって、以下では、それら同様の構成要素には共通の符号を付与するとともに、重複する説明を省略する。
【００３３】
（実施の形態１）
図１〜図１０は、本発明の実施の形態１にかかるヘアーアイロン１０の構成を示すものである。
【００３４】
本実施の形態１にかかるヘアーアイロン１０は、図１に示すように、使用者によって把持される把持部２０を備えており、当該把持部２０のＸ方向一端側（前端側）に、施術部３０が連結されている。
【００３５】
この施術部３０の外周面３０ａは、実質的に円柱の外周面の形状をなしている。なお、施術部３０の外周面の形状は、円柱に限定されず、毛髪が巻き付けられ得る形状であれば、いかなる形状であってもよい。
【００３６】
さらに、把持部２０には、施術部３０の外周面３０ａと協働して毛髪を挟持する髪押さえ部４０が連結されている。この髪押さえ部４０は、把持部２０に相対回動可能に取り付けられており、髪押さえ部４０を把持部２０に対して相対的に回動させることで、髪押さえ部４０の内側面４０ａが施術部３０の外周面３０ａに対して接離するように構成されている。
【００３７】
そして、このような構成とすることで、使用者が、施術部３０と髪押さえ部４０との間に毛髪を挟持させることができるようにしている。
【００３８】
すなわち、髪押さえ部４０は、後述するように、髪押さえ部４０の内側面４０ａを施術部３０の外周面３０ａから離間させる操作部４３を後方に備えている。そして、操作部４３を使用者が握ることで、髪押さえ部４０が施術部３０から離間し、離間した髪押さえ部４０の内側面４０ａと施術部３０の外周面３０ａとの間に毛髪を入れ、操作部４３を戻すことで毛髪を狭持できる構成となっている。
【００３９】
また、使用者が、施術部３０と髪押さえ部４０とにより毛髪を挟持した状態で、その毛髪を施術部３０の外周面３０ａに巻き付けることができるようになっている。
【００４０】
このように、本実施の形態１にかかるヘアーアイロン１０を用いることで、使用者の毛髪にカール形状の癖付けを施すことができる。なお、使用者と施術者は同一の人物であってもよいし、施術者としての他人が使用者の毛髪にカール形状の癖付けを施すようにしてもよい。
【００４１】
また、施術部３０と髪押さえ部４０の構成は、図示された構成に限定されるものではなく、施術部の外周面と髪押さえ部の内側面とが協働して毛髪を挟持することができるものであれば、いかなる構成をしていてもよい。
【００４２】
また、髪押さえ部４０を閉じた状態（髪押さえ部４０が施術部３０の外周面３０ａに当接した状態）で、施術部３０の外周面３０ａにおける髪押さえ部４０の内側面４０ａと対向する部位以外の部位には、複数のブラシ６１が、Ｘ方向前後に列をなすように設けられている。すなわち、施術部３０の外周面３０ａにおける髪押さえ部４０を閉じた状態で露出する部分には、Ｘ方向前後に列をなす髪巻付部側ブラシ列６０が設けられている。そして、複数の髪巻付部側ブラシ列６０が、周方向に間隔を空けて配置されている。
【００４３】
したがって、本実施の形態１にかかるヘアーアイロン１０は、施術時に、毛髪を整髪しながら施術部３０の外周面３０ａに巻き付けることができるようになっており、よりきれいにカール形状の癖付けを施すことができるようになっている。
【００４４】
さらに、本実施の形態１にかかるヘアーアイロン１０は、施術部３０と髪押さえ部４０との間に毛髪を挟持させず、施術部３０の外周面３０ａにおける髪押さえ部４０を閉じた状態で露出する部分および髪押さえ部４０の外表面４０ｂに巻き付けることができるようになっている。
【００４５】
このような方法で使用者の毛髪にカール形状の癖付けを施すようにすれば、施術部３０と髪押さえ部４０との間に毛髪を挟持させた場合とは異なるカール径で癖付けを施すことができる。
【００４６】
また、本実施の形態１では、髪押さえ部４０の外表面４０ｂにも、Ｘ方向前後に列をなす髪押さえ部側ブラシ列７０が設けられており、複数のブラシ７１が、Ｘ方向前後に列をなすように並設されている。
【００４７】
このように、本実施の形態１では、施術部３０と髪押さえ部４０との間に毛髪を挟持させず、施術部３０の外周面３０ａにおける髪押さえ部４０を閉じた状態で露出する部分および髪押さえ部４０の外表面４０ｂに毛髪を巻き付けることで施術する場合にも、毛髪を整髪しながら巻き付けることができるようになっている。
【００４８】
把持部２０は、外壁をなすケース２１を備えており、このケース２１は、複数の分割体（例えば、上部ケース２２および下部ケース２３等）を継ぎ合わせた状態で、ねじ９３ａを用いてねじ止めすることで形成されるものである（図８参照）。なお、上部ケース２２と下部ケース２３との結合方法は、ねじに限らず圧入やコーキング、カシメ等で行うようにしてもよい。また、溶着や接着等により上部ケース２２と下部ケース２３とを結合させるようにしてもよい。
【００４９】
このケース２１は、熱不良導体（例えば、ＰＣ等）で形成されており、後述するヒータ５０からの熱が把持部２０に伝わってしまうのが抑制されるようにしている。
【００５０】
そして、ケース２１の内部には空洞が形成されており、この空洞内に、例えば、制御装置９０等の各種電気部品が収容されている。なお、把持部２０の上部ケース２２の上側面には凹部２２ａが形成されており、この凹部２２ａに化粧プレート２４が嵌め込まれている。
【００５１】
さらに、凹部２２ａには、図８に示すように、制御装置９０に取り付けられたＬＥＤ９０ｂが収容されるＬＥＤ収容空間２２ｂが化粧プレート２４に開口するように形成されている。このＬＥＤ収容空間２２ｂは下方に延設されたリブ２２ｃによって画成されている（図５参照）。
【００５２】
また、把持部２０の側部には、図１〜図４に示すように、操作スイッチ（スイッチ）２７が前後方向にスライド可能に設けられており、この操作スイッチ２７を操作することで、電源のオン・オフを切り替えることができるようになっている。このように、電源のオン・オフを切り替えることで、後述するヒータ（加熱部）５０に対する通電のオン・オフ状態を切り換えることができ、また、ＬＥＤ９０ｂの点灯・消灯も切り替えることができるようになっている。なお、ＬＥＤ９０ｂが点灯すると、化粧プレート２４がＬＥＤ９０ｂの光で照らされることになる。
【００５３】
また、操作スイッチ２７は、図８に示すように、スライド板２７ａと操作部２７ｂとで構成されており、スライド板２７ａには、制御装置９０に取り付けられたスイッチ本体９０ａの切り替え用の突部９０ｄが挿通される挿通孔２７ｃが形成されている。
【００５４】
そして、操作スイッチ２７を操作して前後方向前方にスライドさせると、スライド板２７ａの移動に伴い突部９０ｄも前方に移動し、この突部９０ｄが前方に移動することでヘアーアイロン１０の電源がオンになり、ヒータ５０が通電される。すると、ヒータ５０が発熱し、発熱したヒータ５０から施術部３０に熱が伝達されて、施術部３０が加熱される。
【００５５】
このように、本実施の形態１にかかるヘアーアイロン１０は、毛髪に熱による癖付けを施すことで整髪を行うものである。すなわち、加熱した施術部３０の外周面３０ａに毛髪を巻き付けることで、使用者の毛髪にカール形状の癖付けを施すことができるようにしたものである。
【００５６】
また、把持部２０は、横断面形状が円弧状の外周面を有しており、全体として円柱に類似する形状に形成されている。ただし、把持部２０の外形は、円柱形状に類似する形状に限定されるものではなく、使用者が握ることができる形状であれば、いかなる形状であってもよい。
【００５７】
また、把持部２０の後端部２０ａには、図５に示すように、電源コード９１に接続された回転コネクタ９２が取り付けられている。具体的には、上部ケース２２および下部ケース２３の後端には、周方向突部２２ｅおよび周方向突部２３ｂがそれぞれ内周側に突出するように設けられている。そして、回転コネクタ９２に形成された周方向溝９２ｂに周方向突部２２ｅおよび周方向突部２３ｂをそれぞれ嵌合することで、把持部２０の後端部２０ａに回転コネクタ９２が取り付けられるようにしている。
【００５８】
このとき、回転コネクタ９２は、制御装置９０に取り付けられるリード線９４ａに電気的に接続されたジャック９０ｃに端子部９１ａが差し込まれた状態で、把持部２０の後端部２０ａに取り付けられることとなる。こうすることで、電源コード９１が、リード線９４ａを介して制御装置９０に電気的に接続されるようにしている。
【００５９】
施術部３０は、毛髪が巻き付けられる外面３１ａを有する筒状の髪巻付部３１と、先端につまみ部３４ｄが形成されたキャップ部３４と、髪巻付部３１を把持部２０に連設する連結部３５と、を備えている。
【００６０】
本実施の形態１では、髪巻付部３１は略円筒状をしており、この髪巻付部３１の内部には、ヒータ（加熱部）５０が収容されている。なお、髪巻付部３１は、ヒータ５０からの熱が伝わりやすくなるように、熱良導体である金属で形成されている。
【００６１】
また、キャップ部３４は、熱不良導体（例えば、ＰＢＴ等）で形成されており、髪巻付部３１の前端に連設されている。
【００６２】
また、キャップ部３４の先端には、全周に亘って内側に湾曲するように形成された凹面状のつまみ部３４ｄが形成されている。本実施の形態１では、つまみ部３４ｄに突部３４ａが形成されており、この突部３４ａは、つまみ部３４ｄをつまむ際に、滑り止めとして機能するものである。また、突部３４ａは、ヒータ５０からつまみ部３４ｄに伝わる熱を放熱する機能も有している。さらに、キャップ部３４の前端には、後方に凹む凹部３４ｃが形成されており、このような凹部３４ｃを形成することで、表面積を大きくし、より放熱を促進させることができるようにしている。
【００６３】
また、キャップ部３４の内周側には、後方に突出する内筒３４ｂが形成されており、この内筒３４ｂの後端を筒状の髪巻付部３１の前側開口３１ｄから筒内に挿入することで、髪巻付部３１の前側開口３１ｄがキャップ部３４によって塞がれるようになっている。そして、前側開口３１ｄをキャップ部３４で塞いだ状態で、髪巻付部３１と内筒３４ｂとをねじ９３ｂでねじ止めすることで、キャップ部３４を髪巻付部３１の前端に連設している。なお、キャップ部３４と髪巻付部３１との結合も、ねじに限らず圧入やコーキング、カシメ、溶着、接着等で行うことができる。
【００６４】
一方、髪巻付部３１の後端には、例えば、ＰＢＴ等で形成された連結部３５が連設されており、この連結部３５によって、髪巻付部３１の後側開口３１ｅが塞がれている。
【００６５】
具体的には、連結部３５は、筒部３５ａと、筒部３５ａの後端から外周方向に突出するフランジ部３５ｂと、を備えており、連結部３５の内側には、リード線９４ｂが挿通される挿通孔３５ｃが形成されている。
【００６６】
そして、筒部３５ａの前端を筒状の髪巻付部３１の後側開口３１ｅから筒内に挿入し、かかる状態で、髪巻付部３１と筒部３５ａとをねじ９３ｃでねじ止めすることで、連結部３５を髪巻付部３１の後端に連設している。この連結部３５と髪巻付部３１との結合も、圧入やコーキング、カシメ、溶着、接着等で行うことができる。
【００６７】
さらに、フランジ部３５ｂの外周には、周溝３５ｄが形成されている。また、上部ケース２２および下部ケース２３の前端には、周方向突部２２ｄおよび周方向突部２３ａがそれぞれ内周側に突出するように設けられている。そして、フランジ部３５ｂに形成された周溝３５ｄに周方向突部２２ｄおよび周方向突部２３ａをそれぞれ嵌合することで、把持部２０の前端部２０ｂに連結部３５が取り付けられるようにしている。
【００６８】
こうして、キャップ部３４および連結部３５が取り付けられた髪巻付部３１（施術部３０の一部）が、把持部２０の前端部２０ｂに連設されることとなる。
【００６９】
本実施の形態１では、ヒータ５０としてニクロム線ヒータが用いられている。このように、ニクロム線ヒータを用いることで、使用者の毛髪の施術の際に必要な熱量を十分に確保することが可能となる。
【００７０】
ヒータ５０は、図８に示すように、ニクロム線５１ａが巻かれた金属板５１を一対の押さえ板５２で挟持し、取付板５３に取り付けることで形成されている。そして、金属板５１には、制御装置９０に接続されたリード線９４ｂが接続されており、このリード線９４ｂを介してヒータ５０と制御装置９０とが電気的に接続されている。
【００７１】
なお、ヒータは、ニクロム線ヒータに限らず、ＰＴＣヒータ（Positive Temperature Coefficient ヒータ）やその他の加熱手段を用いるようにしてもよい。
【００７２】
また、ヒータ５０にサーミスタ１００が取り付けられるようにするのが好ましい。こうすれば、ヒータ５０の温度変化に伴って変化するサーミスタの抵抗値を利用して、ヒータ５０の温度を制御することができる。また、ヒューズ１０１を設けるようにするのが好ましい。こうすれば、制御装置９０の破損等により髪巻付部３１等の温度が所定の温度を超えてしまった場合に、ヒータ５０への通電を遮断させることができる。
【００７３】
さらに、本実施の形態１では、ヒータ５０からの熱を伝熱部としてのヒートシンク５４，５４を介して髪巻付部３１に伝達させるようにしている。なお、ヒートシンク５４を介さずにヒータ５０を髪巻付部３１に直接固定するようにしてもよい。
【００７４】
ヒートシンク５４は、熱良導体である金属で形成されており、ヒータ（加熱部）５０に接触する基部５５と、基部５５の上下両端から延設され、先端が髪巻付部３１の内周面に当接する自由片５６とで構成されている。
【００７５】
また、基部５５，５５には、ヒータ（加熱部）５０側に突出する突壁部５５ａ，５５ａがそれぞれ形成されている。具体的には、一方の基部５５の上側に、ヒータ（加熱部）５０側に突出する突壁部５５ａが形成されており、他方の基部５５の下側に、上下一方側にヒータ（加熱部）５０側に突出する突壁部５５ａが形成されている。そして、ヒータ（加熱部）５０は、基部５５，５５と突壁部５５ａ，５５ａとで画成される空間に収容されている。
【００７６】
また、基部５５には、リード線９５を収容するリード線収容部５５ｂが形成されており、リード線９５は、このリード線収容部５５ｂに収容された状態でクリップ５７によって挟持されている。なお、リード線９５は、図８に示すように、制御装置９０に接続されており、温度検知することでヒータ５０の通電制御を行っている。
【００７７】
さらに、施術部３０は、髪巻付部３１の外面３１ａとの間で毛髪を狭持する髪押さえ部４０を備えている。
【００７８】
本実施の形態１では、髪押さえ部４０は、熱不良導体かつ耐熱性を有する材料（例えば、ＰＢＴ等）で形成されており、髪巻付部３１に接離可能な髪押さえ本体４１と、髪押さえ本体４１を髪巻付部３１に対して接離可能に相対回動させる操作部４３と、を備えている。
【００７９】
髪押さえ本体４１は、髪巻付面として機能させることが可能な外面４１ａと、髪巻付部３１の外面３１ａに対向し、髪挟持面として機能させることが可能な対向面４１ｂと、を備えている。
【００８０】
一方、操作部４３は、上方かつ後方に延在するように設けられており、本体部４４と、操作部４３および髪押さえ本体４１を髪巻付部３１側に付勢するばね４６と、を備えている。
【００８１】
また、本実施の形態１では、ばね４６としてねじりばねを用いており、このねじりばねが、上部ケース２２の前端中央の上部に形成された収容凹部２５に収容されるようにしている。
【００８２】
収容凹部２５は、底壁２５ａと周壁２５ｂとで画成されており、底壁２５ａには上方に突出する突部２５ｄが形成されている。この突部２５ｄには、ばね４６の一端４６ａが連結されている。一方、ばね４６の他端４６ｂは、本体部４４の内側（図５の下側）に形成された凹状のスリット４４ａに挿入固定されている。
【００８３】
こうして、操作部４４および髪押さえ本体４１が、ばね４６によって、髪巻付部３１に当接する方向（閉じる方向）に付勢されるようにしている。
【００８４】
なお、底壁２５ａの下方には、ねじ穴が形成されたリブ２５ｃが形成されており、下部ケース２３の前端に形成されたねじ穴２３ｃからねじ９３ａをリブ２５ｃのねじ穴に挿入することで、上部ケース２２と下部ケース２３の前端部が結合されるようにしている（図５参照）。
【００８５】
また、上部ケース２２における収容凹部２５の幅方向（Ｙ方向）両側には、一対のスリット２６，２６が形成されており、この一対のスリット２６，２６内に、本体部４４に形成された一対のアーム部４５，４５がそれぞれ挿通されるようになっている。
【００８６】
一対のアーム部４５，４５には、軸穴４５ａ，４５ａがそれぞれ形成されており、この軸穴４５ａ，４５ａを図示せぬ軸部に軸支させることで、髪押さえ部４０が、軸穴４５ａ，４５ａを中心として把持部２０や髪巻付部３１に対して相対回動可能に取り付けられることとなる。
【００８７】
また、本実施の形態１では、髪巻付部３１の外面３１ａにおける髪押さえ本体４１で覆った際に露出する部分に、髪巻付部側ブラシ列６０が形成されるようにしている。
【００８８】
髪巻付部側ブラシ列６０は、熱不良導体かつ耐熱性を有する材料（例えば、ナイロン樹脂等）で形成されており、ヒータ５０からの熱がブラシ６１に伝わってしまうのが抑制されるようにしている。また、ブラシ６１は、指で押した際や肌で触れた際に容易に変形しつつも、指や肌が髪巻付部３１の外面３１ａに触れないようにするために、ある程度の太さと長さと強度が必要となる。また、指や肌が触れた際に痛みを感じにくいように先端がＲ状となるようにしている。以上の観点から、本実施の形態１では、ブラシ６１は、太さ２．３ｍｍ、長さ１０．５ｍｍで構成されている。しかしながら、ブラシ６１の太さや長さ、その他のパラメータは自由に設定することができる。
【００８９】
この髪巻付部側ブラシ列６０は、図９に示すように、基体部６２を備えており、この基体部６２に複数のブラシ６１が列をなすように設けられている。そして、基体部６２のブラシ６１が形成された側とは反対側に、幅広のフランジ部６２ａが形成されており、基体部６２は、断面視で段差状（凸状）をしている（図７参照）。
【００９０】
そして、このような髪巻付部側ブラシ列６０が、髪巻付部３１の外面３１ａに周方向に間隔を空けて複数配置されている。こうすることで、施術中に肌や指が髪巻付部３１に直接触れにくい構造とすることができる。なお、本実施の形態１では、複数の髪巻付部側ブラシ列６０が、髪巻付部３１の外面３１ａに周方向に等間隔で配置されている。
【００９１】
具体的には、髪巻付部３１の外面３１ａには、周方向に間隔を開けて（等間隔で）複数の凹溝３２が形成されている。そして、各凹溝３２に、髪巻付部側ブラシ列６０の基体部６２を前後方向にスライドさせながら挿入することで、複数の髪巻付部側ブラシ列６０が髪巻付部３１の外面３１ａに取り付けられるようにしている（図９参照）。
【００９２】
凹溝３２は、幅広の内周側溝部３２ａと、内周側溝部３２ａよりも幅が狭い外周側溝部３３ｂと、を有しており、外周側に開口する開口３２ｃが形成されている。
【００９３】
すなわち、髪巻付部３１の外周側には、凹溝３２の両側から凹溝３２側に突出する突出部３１ｂ，３１ｂが形成されている。
【００９４】
このように、基体部６２の断面形状と凹溝３２の断面形状とを対応する段差状とすることで、凹溝３２に基体部６２を挿入した際に、フランジ部６２ａが突出部３１ｂに当接して抜け止めがなされるようにすることができる。
【００９５】
さらに、本実施の形態１では、基体部６２の断面形状を凹溝３２の断面形状よりも若干小さくなるように形成し、髪巻付部側ブラシ列６０が髪巻付部３１の凹溝３２に所定のクリアランスｄ１をもって取り付けられるようにしている（図７参照）。
【００９６】
具体的には、凹溝３２に基体部６２を挿入した状態で、髪巻付部３１と基体部６２との間に所定のクリアランスｄ１が、上下方向Ｚ、幅方向Ｙおよび前後方向Ｘに形成されるようにしている。
【００９７】
ところで、本実施の形態１においては、髪巻付部３１は、ヒータ５０からの熱が伝わりやすくなるように、熱良導体である金属で形成されている。
【００９８】
一方、髪巻付部側ブラシ列６０は、ヒータ５０からの熱がブラシ６１に伝わってしまうのが抑制されるようにする必要がある上、熱により変形してしまうのを抑制できるようにする必要があるため、熱不良導体かつ耐熱性に優れる材料（例えば、ナイロン樹脂等）で形成されている。
【００９９】
このように、本実施の形態１では、髪巻付部３１と基体部６２（髪巻付部側ブラシ列６０）とが異なる材料で形成されているため、熱膨張率が、それぞれで異なっている。具体的には、髪巻付部側ブラシ列６０が髪巻付部３１よりも熱膨張率の大きい材料で形成されている。
【０１００】
そのため、本実施の形態１では、髪巻付部３１と基体部６２との間に所定のクリアランスｄ１が形成されるようにすることで、加熱時における髪巻付部側ブラシ列６０の膨張をクリアランスｄ１によって吸収できるようにしている。こうすれば、加熱時の膨張によって髪巻付部側ブラシ列６０や髪巻付部３１が変形したり破損してしまったりするのを抑制することができるようになる。なお、クリアランスｄ１の大きさは、使用する材料に応じて適宜設定することができる。
【０１０１】
また、髪押さえ部４０には、髪押さえ部側ブラシ列７０が設けられている。こうすることで、施術中に肌や指が髪押さえ部４０（髪押さえ本体４１）に直接触れにくい構造とすることができる。
【０１０２】
この髪押さえ部側ブラシ列７０も、熱不良導体かつ耐熱性を有する材料（例えば、ナイロン樹脂等）で形成されており、ヒータ５０からの熱がブラシ７１に伝わってしまうのが抑制されるようにしている。また、ブラシ７１は、指で押した際や肌で触れた際に容易に変形しつつも、指や肌が髪押さえ部４０（髪押さえ本体４１）に触れないようにするために、ある程度の太さと長さと強度が必要となる。また、指や肌が触れた際に痛みを感じにくいように先端がＲ状となるようにしている。以上の観点から、本実施の形態１では、ブラシ７１は、太さ２．３ｍｍ、長さ６．６ｍｍで構成されている。しかしながら、ブラシ７１の太さや長さ、その他のパラメータは自由に設定することができる。
【０１０３】
また、髪押さえ部側ブラシ列７０も、基体部７２を備えており、この基体部７２に複数のブラシ７１が列をなすように設けられている。そして、基体部７２のブラシ７１が形成された側とは反対側に、幅広のフランジ部７２ａが形成されており、基体部７２は、断面視で段差状（凸状）をしている（図７参照）。
【０１０４】
本実施の形態１では、このような髪押さえ部側ブラシ列７０が、髪押さえ本体４１に１列配置されている。なお、髪押さえ本体４１に髪押さえ部側ブラシ列７０を複数列設けるようにしてもよい。
【０１０５】
本実施の形態１では、髪押さえ本体４１には、上下方向Ｚに貫通する貫通穴（取付部）４２が形成されている。そして、髪押さえ部側ブラシ列７０を、ブラシ７１が上方に位置するようにした状態で、下方から貫通穴（取付部）４２に挿入することで、髪押さえ部側ブラシ列７０が髪押さえ本体４１に取り付けられるようにしている（図１０参照）。
【０１０６】
貫通穴（取付部）４２は、幅狭の上段部４２ａと、上段部４２ａよりも幅が広い中段部４２ｂと、中段部４２ｂよりも幅が広い下段部４２ｃと、を有しており、上方に開口する開口４２ｄが形成されている。
【０１０７】
すなわち、髪押さえ本体４１の貫通穴（取付部）４２側には、上側段差部４１ｄと、下側段差部４１ｅとが形成されている。
【０１０８】
このように、本実施の形態１では、基体部７２の断面形状と貫通穴（取付部）４２の上側の断面形状とを対応する段差状としている。こうすることで、貫通穴（取付部）４２に基体部７２を挿入した際に、フランジ部７２ａが上側段差部４１ｄに当接して抜け止めがなされるようにすることができる。
【０１０９】
そして、貫通穴（取付部）４２に基体部７２を挿入した状態で、板状の金属板４７を下段部４２ｃに挿入して、髪押さえ本体４１に取り付けることで、髪押さえ部側ブラシ列７０が髪押さえ本体４１から下方に抜け落ちてしまわないようにしている。
【０１１０】
このように、金属板４７を設けることで、金属板４７の下面４７ｄが対向面４１ｂ（髪挟持面）の一部をなすこととなり、挟持した毛髪に熱を効率よく伝えることができるようになる。なお、本実施の形態１では、金属板４７は、金属板４７の下面４７ｄが対向面４１ｂ（髪挟持面）よりも若干上方に位置した状態で髪押さえ本体４１に固定されている。こうすることで、金属板４７のエッジが毛髪に接触してしまうことが抑制されるため、よりスムーズに毛髪を狭持できるようになる。
【０１１１】
さらに、本実施の形態１では、基体部７２の断面形状を上段部４２ａおよび中段部４２ｂの断面形状よりも若干小さくなるように形成し、髪押さえ部側ブラシ列７０が貫通穴（取付部）４２、すなわち、上段部４２ａおよび中段部４２ｂに、所定のクリアランスｄ２をもって取り付けられるようにしている（図７参照）。
【０１１２】
具体的には、上段部４２ａおよび中段部４２ｂに基体部７２を挿入した状態で、髪押さえ部側ブラシ列７０と基体部７２との間に所定のクリアランスｄ２が、上下方向Ｚ、幅方向Ｙおよび前後方向Ｘに形成されるようにしている。
【０１１３】
本実施の形態１においては、髪押さえ部４０は、熱くなりすぎないようにする必要がある上、ある程度の強度（耐熱強度等）が要求されるため、熱不良導体かつ耐熱性に優れる材料（例えば、ＰＢＴ等）で形成されている。一方、髪押さえ部側ブラシ列７０は、ヒータ５０からの熱がブラシ７１に伝わってしまうのが抑制されるようにする必要がある上、熱により変形してしまうのを抑制できるようにする必要があるため、熱不良導体かつ耐熱性に優れる材料（例えば、ナイロン樹脂等）で形成されている。
【０１１４】
このように、本実施の形態１では、髪押さえ部４０と基体部７２（髪押さえ部側ブラシ列７０）とが異なる材料で形成されているため、熱膨張率が、それぞれで異なっている。具体的には、髪押さえ部側ブラシ列７０が髪押さえ部４０よりも熱膨張率の大きい材料で形成されている。
【０１１５】
そのため、本実施の形態１では、髪押さえ部４０と基体部７２との間に所定のクリアランスｄ２が形成されるようにすることで、加熱時における髪押さえ部側ブラシ列７０の膨張をクリアランスｄ２によって吸収できるようにしている。こうすれば、加熱時の膨張によって髪押さえ部側ブラシ列７０や髪押さえ部４０が変形したり破損してしまったりするのを抑制することができるようになる。なお、クリアランスｄ２の大きさは、使用する材料に応じて適宜設定することができる。
【０１１６】
また、髪巻付部側ブラシ列６０や髪押さえ部側ブラシ列７０を、吸水性を有するナイロン樹脂で形成すれば、例えば、濡れた毛髪が接触した際に、髪巻付部側ブラシ列６０や髪押さえ部側ブラシ列７０が水分を吸収するため、静電気が生じ難くなる。
【０１１７】
また、髪押さえ部４０と金属板４７も異なる材料で形成されているため、髪押さえ部４０と金属板４７との間にも、所定のクリアランスｄ３が形成されるようにしている（図７参照）。
【０１１８】
具体的には、金属板４７は、一端４７ａが髪押さえ本体４１の先端（前端）に形成されたフック部４１ｃに係止されている。そして、一端４７ａをフック部４１ｃに係止した状態で、他端４７ｂに形成されたねじ穴４７ｃを本体部４４に形成されたねじ穴４４ｂに連通させ、ねじ穴４７ｃ，４４ｂにねじ９３ｄを挿通することで、金属板４７が髪押さえ本体４１に取り付けられるようにしている。
【０１１９】
こうすることで、クリアランスｄ３をもたせた状態で金属板４７を髪押さえ本体４１に取り付けることができるようしている。したがって、熱膨張による金属板４７の体積変化をクリアランスｄ３で吸収できるようになり、金属板４７の突っ張りによって、金属板４７自身や髪押さえ部４０が変形したり破損したりしてしまうのを抑制することができるようになる。このクリアランスｄ３の大きさも、使用する材料に応じて適宜設定することができる。
【０１２０】
ここで、本実施の形態１では、髪押さえ部４０の表面温度が高くなりすぎてしまうのを抑制できるようにすることで、ヘアーアイロン１０をより快適に使用することができる上、ヘアーアイロン１０の使い勝手をより向上させることができるようにした。
【０１２１】
具体的には、図７に示すように、髪巻付部３１における髪押さえ部４０と対面する部位に、髪巻付部３１から髪押さえ部４０に熱が伝達されるのを抑制する熱伝導抑制部８０を設けた。
【０１２２】
本実施の形態１では、髪巻付部３１における髪押さえ部４０と対面する部位に、髪巻付部３１とは別部材の熱伝導抑制部材８１を、外周側の面（表面８１ａ）が露出するように取り付けることで、髪巻付部３１に熱伝導抑制部８０を設けている（図８参照）。
【０１２３】
なお、本実施の形態１では、髪巻付部側ブラシ列６０と同様の方法によって、髪巻付部３１に熱伝導抑制部８０を設けている。
【０１２４】
すなわち、熱伝導抑制部材８１は、幅方向Ｙ両端の内周側にフランジ部８１ｃが形成されており、断面視で段差状（凸状）をしている。
【０１２５】
そして、髪巻付部３１における髪押さえ部４０と対面する部位には凹溝３３が形成されている。そして、凹溝３３に、熱伝導抑制部材８１を前後方向にスライドさせながら挿入することで、熱伝導抑制部材８１が髪巻付部３１に取り付けられるようにしている（図９参照）。
【０１２６】
凹溝３３は、幅広の内周側溝部３３ａと、内周側溝部３３ａよりも幅が狭い外周側溝部３３ｂと、を有しており、外周側に開口する開口３３ｃが形成されている。
【０１２７】
すなわち、髪巻付部３１の外周側には、凹溝３３の両側から凹溝３３側に突出する突出部３１ｃ，３１ｃが形成されている。
【０１２８】
このように、熱伝導抑制部材８１の断面形状と凹溝３３の断面形状とを対応する段差状とすることで、凹溝３３に熱伝導抑制部８０を挿入した際に、フランジ部８１ｃが突出部３１ｃに当接して抜け止めがなされるようにすることができる。
【０１２９】
さらに、本実施の形態１では、熱伝導抑制部材８１の断面形状を凹溝３３の断面形状よりも若干小さくなるように形成し、熱伝導抑制部材８１が髪巻付部３１の凹溝３３に所定のクリアランスｄ４をもって取り付けられるようにしている（図７参照）。
【０１３０】
具体的には、凹溝３３に熱伝導抑制部材８１を挿入した状態で、髪巻付部３１と熱伝導抑制部材８１との間に所定のクリアランスｄ４が、上下方向Ｚ、幅方向Ｙおよび前後方向Ｘに形成されるようにしている。
【０１３１】
ところで、本実施の形態１においては、髪巻付部３１は、ヒータ５０からの熱が伝わりやすくなるように、熱良導体である金属で形成されている。一方、熱伝導抑制部材８１は、ヒータ５０からの熱が髪押さえ部４０の髪押さえ本体４１に伝わってしまうのが抑制されるようにする必要がある上、熱伝導抑制部材８１が熱により変形してしまうのを抑制できるようにする必要があるため、熱不良導体かつ耐熱性に優れる材料（例えば、ＰＢＴ等）で形成されている。
【０１３２】
このように、本実施の形態１では、髪巻付部３１と熱伝導抑制部材８１とが異なる材料で形成されているため、熱膨張率が、それぞれで異なっている。具体的には、熱伝導抑制部材８１が髪巻付部３１よりも熱膨張率の大きい材料で形成されている。
【０１３３】
そのため、本実施の形態１では、髪巻付部３１と熱伝導抑制部材８１との間に所定のクリアランスｄ４が形成されるようにすることで、加熱時における熱伝導抑制部材８１の膨張をクリアランスｄ４によって吸収できるようにしている。こうすれば、加熱時の膨張によって熱伝導抑制部材８１や髪巻付部３１が変形したり破損してしまったりするのを抑制することができるようになる。
【０１３４】
また、本実施の形態１では、熱伝導抑制部８０を、髪巻付部３１とは別部品である熱伝導抑制部材８１を用いて形成している。そのため、髪巻付部３１に熱伝導抑制部８０を一体に設けた場合に比べて、髪巻付部３１から熱伝導抑制部材８１への熱伝達をより抑制することができるようになり、ヒータ５０からの熱が髪押さえ部４０の髪押さえ本体４１に伝わってしまうのをより抑制することができるようになる。特に、クリアランスｄ４を設けることで、クリアランスｄ４によっても髪巻付部３１から熱伝導抑制部材８１への熱伝達を抑制することができるようになる。なお、髪巻付部３１と熱伝導抑制部材８１とを二色成形等により一体に設けるようにしてもよい。
【０１３５】
さらに、本実施の形態１では、熱伝導抑制部材８１の表面８１ａに複数の凹溝８１ｂを設けることで、熱伝導抑制部８０に複数の凹溝８１ｂが設けられるようにしている。この凹溝８１ｂは、前後方向Ｘに延在するように、幅方向Ｙに間隔をおいて複数形成されている。
【０１３６】
このように、熱伝導抑制部８０に複数の凹溝８１ｂを設けることで、髪狭持面となる熱伝導抑制部８０と髪押さえ部４０との接触面積が減少し、髪巻付部３１から髪押さえ部４０への熱伝達をさらに小さくすることができる。
【０１３７】
さらに、指や肌等が熱伝導抑制部８０に触れた際の熱伝達を小さくすることができるため、施術中に指や肌が触れた際に使用者が熱く感じてしまうことを抑制することもできる。
【０１３８】
また、凹溝８１ｂを長手方向（前後方向Ｘ）に設けることで、熱伝導抑制部８０と髪押さえ部４０で毛髪を狭持する際の滑り止めとしての効果があり、より確実に毛髪の毛先まで捉えることができるようになる。
【０１３９】
なお、凹溝８１ｂを短手方向（幅方向Ｙ）に延在するように設けてもよい。
【０１４０】
また、熱伝導抑制部材８１の前端には、フック部４１ｃ逃がし用の凹部８１ｄが形成されており、髪押さえ部４０を閉じた際に、熱伝導抑制部材８１とフック部４１ｃとが干渉しないようにしている。
【０１４１】
また、本実施の形態１では、熱伝導抑制部材８１の表面８１ａを髪巻付部３１の外面３１ａと略同一曲率の円弧面としている。
【０１４２】
具体的には、熱伝導抑制部材８１の表面８１ａにおける凹溝８１ｂが設けられていない部位が、髪巻付部３１の外面３１ａと略同一曲率の円弧面となるようにしている。
【０１４３】
さらに、髪巻付部側ブラシ列６０の基体部６２の表面６２ｂも、髪巻付部３１の外面３１ａと略同一曲率の円弧面となるようにしている。
【０１４４】
こうすることで、熱伝導抑制部材８１および髪巻付部側ブラシ列６０を取り付けた状態で、髪巻付部３１の外面３１ａとの間に段差が形成されてしまうのが抑制される。その結果、施術部３０のどの面に毛髪を巻き付けたとしても、カール径をほぼ一定の径とすることができ、カールの形が崩れることなく施術することができるようになる。
【０１４５】
また、髪押さえ部側ブラシ列７０を髪押さえ部４０に取り付けた状態で、髪押さえ部側ブラシ列７０の基体部７２の表面７２ｂが髪押さえ本体４１の外面４１ａと略面一となるようにしている。こうすることで、髪押さえ部側ブラシ列７０を髪押さえ部４０に取り付けた状態で、髪押さえ本体４１の外面４１ａとの間に段差が形成されてしまうのが抑制される。その結果、毛髪を髪押さえ部４０と髪巻付部３１とで狭持せずに施術する場合にも、カールの形が崩れることなく施術することができるようになる。
【０１４６】
さらに、本実施の形態１では、髪押さえ本体４１の対向面４１ｂを凹状の円弧面とし、対向面４１ｂの曲率を、髪巻付部３１の外面３１ａの曲率よりも大きくなるようにした（図７参照）。こうすることで、髪巻付部３１の外面３１ａと髪押さえ本体４１の対向面４１ｂとの間（幅方向Ｙ中央）に、クリアランスｄ５が形成され、空気層による断熱構造が形成されることとなる。その結果、髪巻付部３１の外面３１ａ（熱伝導抑制部材８１の表面８１ａ）から髪押さえ部４０（髪押さえ本体４１）への熱伝達をさらに小さくすることができるようになる。
【０１４７】
また、対向面４１ｂの曲率を、髪巻付部３１の外面３１ａの曲率よりも大きくなるようにすることで、髪押さえ部４０（髪押さえ本体４１）の外面３１ａ（表面８１ａ）への接触箇所を幅方向Ｙ両端とすることができる。したがって、部品バラつきや組立バラつきがある場合にも、髪押さえ部４０（髪押さえ本体４１）を両端当てにすることができるため、毛髪を２点にて確実に保持することができるようになり、施術をスムーズに行うことができるようになる。
【０１４８】
次に、かかる構成のヘアーアイロン１０を用いて、毛髪にカール状の癖付けを施す際の作用の一例を説明する。
【０１４９】
まず、使用者によってヘアーアイロン１０の把持部２０を把持する（把持ステップ）。
【０１５０】
次に、使用者が操作部４３を操作して髪押さえ部４０の内側面４０ａを髪巻付部３１の外面３１ａから離間させる（離間ステップ）。
【０１５１】
次に、離間した髪押さえ部４０と髪巻付部３１との間に毛髪を介在させる（毛髪介在ステップ）。
【０１５２】
次に、対向する髪押さえ部４０と髪巻付部３１とで毛髪を狭持させる（毛髪挟持ステップ）。
【０１５３】
次に、毛髪を髪押さえ部４０と髪巻付部３１とで狭持した状態で、ヘアーアイロン１０を回転（好ましくは半回転以上、より好ましくは１回転以上）させて、挟持された部位以外の毛髪を髪巻付部３１の外面３１ａに巻き付ける（毛髪巻付ステップ）。
【０１５４】
次に、毛髪を髪押さえ部４０と髪巻付部３１とで狭持しつつ外面３１ａに巻き付けた状態で、毛髪が髪押さえ部４０と髪巻付部３１との間および外面３１ａを滑るように、ヘアーアイロン１０を毛髪の先端側に引き下ろすことで、毛髪にカール状の施術を施す（引き下ろしステップ）。
【０１５５】
こうして、毛髪にカール状の癖付けが施される。
【０１５６】
なお、上記の引き下ろしステップにおいて、使用者がつまみ部３４ｄをつまんだ状態でヘアーアイロン１０を毛髪の先端側に引き下ろすようにしてもよい。
【０１５７】
また、毛髪を髪押さえ部４０と髪巻付部３１とで狭持せずに、髪巻付部３１の外面３１ａにおける髪押さえ部４０を閉じた状態で露出する部分および髪押さえ部４０の外表面４０ｂに毛髪を巻き付け、ヘアーアイロン１０を毛髪の先端側に引き下ろすことで、毛髪を滑らせ、毛髪にカール状の施術を施すようにすることもできる。
【０１５８】
なお、本実施の形態１のように、髪巻付部３１における髪押さえ部４０と対面する部位に熱伝導抑制部８０を設けたとしても、毛髪にカール状の癖付けを行うために必要な温度は確保できている。
【０１５９】
例えば、髪巻付部３１の温度が約１７０．４℃となるように加熱した場合、熱伝導抑制部８０の温度は、約１４９．３℃となり、髪押さえ本体４１の温度は、約１２９．９℃となる。
【０１６０】
以上説明したように、本実施の形態１では、ヘアーアイロン１０は、熱良導体で形成され、毛髪が巻き付けられる髪巻付部３１と、髪巻付部３１を加熱するヒータ（加熱部）５０と、髪巻付部３１の外面３１ａとの間で毛髪を狭持する髪押さえ部４０と、を備えている。そして、髪押さえ部４０には髪押さえ部側ブラシ列７０が設けられている。
【０１６１】
これによって、髪押さえ部４０で毛髪を挟持した状態で毛髪にカール状の癖付けを施す使用方法と、髪押さえ部４０を使用せずに（髪押さえ部４０で毛髪を挟持せずに）、ヘアーアイロン１０を回転させることで毛髪にカール状の癖付けを施す使用方法の２通りの方法での使用が可能となる。その結果、毛髪へのカール状の癖付け時に、カール径を異ならせることができるようになる。このように、２種類のカール径とすることができるようにすることで、ヘアスタイルのアレンジの幅を広げられるようになって、例えば、毛髪の部位毎に使用方法を異ならせて、異なるカール径となるように毛髪を施術することが可能となる。その結果、ヘアーアイロン１０をより快適に使用することができる上、ヘアーアイロン１０の使い勝手をより向上させることができるようになる。
【０１６２】
また、髪巻付部３１における髪押さえ部４０と対面する部位には、髪巻付部３１から髪押さえ部４０に熱が伝達されるのを抑制する熱伝導抑制部８０が設けられている。
【０１６３】
これによって、髪巻付部３１の外面３１ａから髪押さえ部４０への熱伝達を比較的小さくすることができるため、毛髪の施術中に使用者が熱く感じてしまうのを抑制することができるようになる。その結果、ヘアーアイロン１０をより快適に使用することができる上、ヘアーアイロン１０の使い勝手をより向上させることができるようになる。
【０１６４】
また、髪押さえ部４０が熱不良導体で形成されている。これによって、髪巻付部３１の外面３１ａから髪押さえ部４０への熱伝達をより一層抑制することができるようになり、毛髪の施術中に使用者が熱く感じてしまうのをより抑制することができるようになる。
【０１６５】
また、髪巻付部３１が筒状に形成されており、髪巻付部３１の外面３１ａにおける熱伝導抑制部８０が設けられた部位以外の部位には、熱不良導体で形成された毛髪巻付部側ブラシ列６０が、周方向に間隔を空けて複数配置されている。
【０１６６】
これによって、髪巻付部３１と使用者の皮膚との間に所定の間隔を持たせることが可能となり、熱く感じることなくより快適にヘアーアイロン１０を使用することができるようになる。また、毛髪巻付部側ブラシ列６０を設けることで毛髪を捉えやすくなって、毛髪にカール状の癖付けをより容易に施すことができるようになる。
【０１６７】
また、熱伝導抑制部８０には複数の凹溝８１ｂが設けられている。これによって、髪巻付部３１の熱伝導抑制部８０と髪押さえ部４０との接触面積を減少させることができ、髪押さえ部４０への熱伝達をさらに小さくすることが可能となる。その結果、毛髪の施術中に使用者が熱く感じてしまうのをより抑制することができるようになり、ヘアーアイロン１０をより快適に使用することができる上、ヘアーアイロン１０の使い勝手をより向上させることができるようになる。また、熱伝導抑制部８０に肌が接触した際の肌への熱伝達も小さくすることが可能となるため、ヘアーアイロン１０をより快適に使用することができるようになる。
【０１６８】
また、髪押さえ部側ブラシ列７０が熱不良導体で形成されている。
【０１６９】
これによって、肌が髪押さえ部４０に接触してしまうことをより確実に抑制することができるようになるため、使用者が熱く感じてしまうのをより一層抑制することができるようになって、ヘアーアイロン１０をより快適に使用することができるようになる。
【０１７０】
また、髪押さえ部側ブラシ列７０が髪押さえ部４０よりも熱膨張率の大きい材料で形成されており、髪押さえ部側ブラシ列７０は、髪押さえ部４０の貫通穴（取付部）４２に、所定のクリアランスｄ２をもって取り付けられている。
【０１７１】
これによって、加熱時における髪押さえ部側ブラシ列７０の膨張をクリアランスｄ２によって吸収することができるようになり、髪押さえ部４０が変形したり破損してしまったりするのを抑制することができるようになる。
【０１７２】
（実施の形態２）
本実施の形態２にかかるヘアーアイロン１０Ａは、基本的に上記第１実施形態で示したヘアーアイロン１０とほぼ同様の構成をしている。すなわち、ヘアーアイロン１０Ａは、図１１に示すように、熱良導体で形成され、毛髪が巻き付けられる髪巻付部３１と、髪巻付部３１を加熱する加熱部５０と、髪巻付部３１の外面３１ａとの間で毛髪を狭持する髪押さえ部４０と、を備えている。
【０１７３】
そして、髪巻付部３１における髪押さえ部４０と対面する部位には、髪巻付部３１から髪押さえ部４０に熱が伝達されるのを抑制する熱伝導抑制部８０が設けられている。
【０１７４】
ここで、本実施形態にかかるヘアーアイロン１０Ａが上記第１実施形態で示したヘアーアイロン１０と主に異なる点は、髪巻付部３１に毛髪巻付部側ブラシ列を設けておらず、髪押さえ部４０に髪押さえ部側ブラシ列を設けていない点にある。
【０１７５】
なお、図１１では、髪巻付部３１の外面３１ａに凹凸が設けられているものを例示しているが、髪巻付部３１の外面３１ａを滑らかな円弧状となるようにしてもよい。
【０１７６】
以上の本実施形態によっても、上記第１実施形態と同様の作用、効果を奏することができる。
【０１７７】
以上、本発明の好適な実施形態について説明したが、本発明は上記実施形態には限定されず、種々の変形が可能である。
【０１７８】
例えば、上記各実施の形態では、髪巻付部３１における髪押さえ部４０と対面する部位に凹溝３３を形成し、当該凹溝３３に、熱伝導抑制部材８１を前後方向にスライドさせながら挿入させるようにしたものを例示している。しかしながら、熱伝導抑制部材８１の取り付け方法は、これに限るものではない。例えば、髪巻付部３１にスリットを設け、髪巻付部３１のスリットに臨む面にガイド溝を設け、当該ガイド溝に熱伝導抑制部材８１のフランジ部８１ｃを挿入するようにしてもよい。
【０１７９】
また、熱伝導抑制部や各ブラシ列、その他細部のスペック（形状、大きさ、レイアウト等）も適宜に変更可能である。
【産業上の利用可能性】
【０１８０】
以上のように、本発明にかかるヘアーアイロンは、快適に使用することができ、かつ使い勝手がよいため、例えば、ペット用のヘアーアイロンの用途に適用され得る。
【符号の説明】
【０１８１】
１０，１０Ａ  ヘアーアイロン
３１  毛髪巻付部
３１ａ  外面
４０  髪押さえ部
４２  貫通穴（取付部）
５０  ヒータ（加熱部）
６０  毛髪巻付部側ブラシ列
７０  髪押さえ部側ブラシ列
８０  熱伝導抑制部
８１ｂ  凹溝
ｄ２  クリアランス
【図１】
0006512471.tif 000002
【図２】
0006512471.tif 000003
【図３】
0006512471.tif 000004
【図４】
0006512471.tif 000005
【図５】
0006512471.tif 000006
【図６】
0006512471.tif 000007
【図７】
0006512471.tif 000008
【図８】
0006512471.tif 000009
【図９】
0006512471.tif 000010
【図１０】
0006512471.tif 000011
【図１１】
0006512471.tif 000012